(57)【特許請求の範囲】
【請求項１】
掌巾と略同等かそれを僅かに超える程度の横巾寸法と、吊り下げ把持の対象となる物品の手提げ部分を抱持可能な程度の縦寸法とに設定され、掌装着時に手指の屈曲動作に追随彎曲し得る程度の柔軟性を有する肉厚シート製の手指緩衝体と、手首太さに適合させる調節機構付きで手首への装着を自在とするリストバンドとを有し、該リストバンドを支持部として直交状に組み合わせた所定長さの吊りベルト自由端に至る適所を、当該手指緩衝体の中央付近に適宜手段で一体化してそれらリストバンドに手指緩衝体を連繋させるようにする一方、当該吊りベルトは、その自由端側と基端部近傍とが適宜手段の嵌め外し構造によって連結し得るものとし、同吊りベルトもしくは手指緩衝体の、掌装着に際し手指の接合範囲となる適所に、１または複数の何れかの親指を除く指もしくは親指以外の全ての指を装着可能とする指装着環を設けてなるものとしたことを特徴とする手提げ用補助具。
【請求項２】
掌巾と略同等かそれを僅かに超える程度の横巾寸法と、吊り下げ把持の対象となる物品の手提げ部分を抱持可能な程度の縦寸法とに設定され、掌装着時に手指の屈曲動作に追随彎曲し得る程度の柔軟性を有する肉厚シート製の手指緩衝体と、手首太さに適合させる調節機構付きで手首への装着を自在とするリストバンドとを有し、該リストバンドを支持部として直交状に組み合わせた所定長さの吊りベルト自由端に至る適所を、当該手指緩衝体の縦寸法方向基端側寄りとなる中央付近に開口したスリット孔から、同縦寸法方向先端側寄における中央付近に開口したスリット孔に掛けて挿着し、同吊りベルト中途適所範囲が、手指緩衝体の持ち手用緩衝面とは反対側となる把持面側の略中央に縦断露出状となるよう一体化してそれらリストバンドに手指緩衝体を連繋させるようにする一方、当該吊りベルトは、その自由端側と基端部近傍とが適宜手段の嵌め外し構造によって連結し得るものとし、同吊りベルトの手指緩衝体の両スリット孔間から把持面側に露出された中途範囲であって、掌装着に際して手指の接合範囲となる適所に、１または複数の何れかの親指を除く指もしくは親指以外の全ての指を装着可能とする指装着環を装着してなるものとしたことを特徴とする手提げ用補助具。
【請求項３】
指装着環が、装着対象となる手指中の中指および／または薬指に装着可能な配置、形状、寸法に形成されたものとしてなる、前記請求項１または２何れか一項記載の手提げ用補助具。
【請求項４】
手指緩衝体が、概略円板状あるいは長円状に裁断された皮革製のものであって、表革面を手指によって把持される把持面側に、裏革面を吊り下げ把持の対象となる物品の手提げ部分と接する持ち手用緩衝面側に一致させるように形成したものとしてなる、前記請求項１ないし３何れか一項記載の手提げ用補助具。
【請求項５】
嵌め外し構造が、吊りバンドの自由端側に掛着されたリング部と、同吊りベルト基端部付近に設けられ該リング部に係合可能としたフック部とからなる、前記請求項１ないし４何れか一項記載の手提げ用補助具。
【請求項６】
嵌め外し構造が、その嵌め外し可能となる箇所に、ロック・アンロック機構を有したバックルを設けたものとしてなる、前記請求項１ないし５何れか一項記載の手提げ用補助具。
【発明の詳細な説明】
【技術分野】
【０００１】
この発明は、物品を手提げ搬送する場合に手指に掛かる負担を軽減可能とする技術に関連するあらゆる分野をその技術分野とするものであり、手提げ運搬用の補助具類を製造する分野は勿論のこと、その製造に必要とする設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                    
【背景技術】
【０００２】
（着目点）
食料品や生活雑貨等を購入したときに販売店から提供されるポリエチレンやポリプロピレン製の所謂ポリ袋（あるいはレジ袋）は、従前まで使用されていた紙製の買い物袋に比較し、軽くて嵩張らず、丈夫な上に耐水性があり、しかも安くて便利なことから家に持ち帰っても整理袋やごみ入れなど様々な用途に再利用することが可能であることから、今では日常生活に欠くことのできないものの一つとなっていて、最近ではそれがまた、郊外型ショッピングセンターの拡大等によって大量生産、大量消費を前提とした市場経済が発展すると共に、大形冷蔵庫の普及もあって、特売日等には一度期に沢山の生鮮食品などの商品をまとめ買いするのが普段の生活スタイルと化し、どのショッピングセンターでも、その内外で持ちきれない程の商品を詰め込んだ買い物袋（ポリ袋）を両手に吊り下げ、結構辛い思いに耐えながらそこら中を右往左往する光景で埋め尽くされている。
【０００３】
こうした日常的な光景の中で繰り返されている、ポリ袋に設けられた一対の環状の持ち手部分は、同ポリ袋内に色々な食料品と共に、例えば何処の家庭でも欠かせない紙パック入りジュースや牛乳等の複数本を一緒に入れた買い物となるような場合、それら袋内の商品全荷重が、袋の構造、機能上から把持した手指部分に集中的に加わることとなって、ほんの短い距離であってもそれに耐えて持ち運ぶ行為は非常に辛く、こうした現象は一つポリ袋に限らず比較的細い帯状または紐状の持ち手のついた紙袋にも起き得ることであって、これらポリ袋や持ち手付きの紙袋等に夫々購入したものを入れるだけ入れて持ち運ぼうとすると、どうしても手指に大きな負担が掛かって苦痛を覚えてしまうという現象を避けられず、これまでのところでは、消費者は、まとめ買いや重量の嵩む商品を購入した場合等には、その都度辛い思いに耐えながらの持ち運びを余儀無くされているという情況が続いていた。
【０００４】
（従来の技術）
そこで、そのような場面に対処しようと、例えば特開２００３−１６４３１８号公報「買い物袋ホルダー」発明として提案されているもののように、弓形に沿ったグリップ状背部の長手方向に第１の溝部を形成し、同背部の両端部付近に第１の溝部に直行する方向に向けられた第２の溝部を形成し、前記第１もしくは第２の溝部に買い物袋の手提げ部を保持ないし掛止して運搬可能としたものや、特開２００２-３６９７０８号公報に開示された「買い物袋ホルダー」発明のように、輪状の搬送用掛止部と、買い物袋の手提げ部分を保持する買い物袋保持部と、これら搬送用掛止部と買い物袋保持部とを連結し、互いに特定の角度で固定可能な連結部とを形成するようにしたもの、あるいは特開２００１−３１４２２１号公報の「買い物袋用取っ手」発明の弾力材の裏側に接合部を設けると共に表側に、縁の半分ほどが結合されたポケット部としたカバーを設け、弾力材とカバーとの間に指先を差し込み、掌で弾力材を屈曲させるようにして買い物袋の手提げ部分を保持可能としたもの、特開平１０−２５７９１３号公報「ホルダー」発明の長方形状に形成され、可撓性を有する熱可塑性合成樹脂製のシートの各頂部から所定距離の位置で隅切りし、長手方向を軸心として端部同士を重ね合わせるようにして該シートを筒状に成形し、該シート端部の重ね合わせ部を開閉自在に形成し、該筒状に形成したシート内に買い物袋等の把持部を挿入し、該シートを介して持つように形成したもの、将又特開平１０−２４８６２３号公報「買い物袋の取手補助具」発明に提案のある概略長方形状であって長手方向両端の短辺中央を折り畳み可能とする窪みとなるように形成したシート状樹脂板または紙製補助板の、同長手方向両端側付近の夫々に買い物袋の取手を係合可能とする切り欠きを形成するようにしたもの等夫々に工夫を凝らしたものが散見される。
【０００５】
しかしながら、このように既に開発済みの様々な形態の買い物袋用の補助具は、何れもその携帯性への配慮としてできる限りの小型、軽量化が図られているという程度に留められており、買い物袋の持ち手部分用の吊下げ構造や、利用者用のグリップ形状等に特徴を有するものに過ぎず、携行するにはポケットやハンドバック等に入れて持ち歩く必要があり、買い物に出かける際に持参するのをうっかり忘れてしまったり、財布やハンカチ、キー等を取り出すときに、誤って落としてしまったりする虞があり、外出先で利用するには不便な形態であるといわざるを得ないものであった。
【０００６】
こうした多くの携帯に不便な吊下げ用補助具の中にも、前記特開２００２−３６９７０８号公報の「買い物袋ホルダー」発明に示されたもののように、腕に通して携帯することが可能な環状の搬送用掛止部を有するものの提案もあり、このタイプのものでは、買い物に出かける時に腕に装着して携行することを可能とし、したがってバックの中で他のものと相紛れて探し出すのに苦労してしまったり、ポケットの中で嵩張って格好を悪くしてしまうといった実用段階での弊害を防止できるようになっているものの、買い物袋の持ち手部分を吊り下げるための買い物袋保持部が、硬質な鉤状のものとなって環状の搬送用掛止部から突出しているために、携帯中に利用者自身や周囲の物品等に不要な接触や、それに起因する事故等を惹起し兼ねず、常時携帯するには適さないという欠点を有するものであった。                                                                                          
【特許文献１】（１）特開２００３−１６４３１８号公報  （２）特開２００２-３６９７０８号公報  （３）特開２００１−３１４２２１号公報  （４）特開平１０−２５７９１３号公報  （５）特開平１０−２４８６２３号公報
【発明の開示】
【発明が解決しようとする課題】
【０００７】
（問題意識）
上記において見てきたとおり、従前までに提案のある買い物袋用の吊下げ補助具に関連する技術は、その多くが買い物袋の吊下げ機能だけに拘泥し、小型化、軽量化への設計努力はなされているものの、携行する際の配慮を欠いてしまっていたり、また、腕に装着使用するタイプの買い物袋ホルダーにあっても、必ずしも装着性や使用性が十分に検討、吟味されたものとは言い難い上、安全性の点では利用者自身や周囲の人、物品等に接触して不用意に傷付けてしまう虞を懸念せざるを得ないなどといった具合に多くの未解決の問題を残しているのが現況であった。
【０００８】
（発明の目的）
そこで、この発明は、落下や紛失等の心配が無く簡便に携行することができ、しかも携帯中に周囲の人や物品等に不要に干渉したり、引っ掛かったりせず、買い物袋を搬送するときには、即座に機能して重量の嵩む商品類をまとめて軽快に持ち運ぶことを可能とする運搬用補助具の開発はできないものかとの判断から、逸速くその開発、研究に着手し、長期に渡る試行錯誤と幾多の試作、実験とを繰り返してきた結果、今回、遂に新規な構造の手提げ用補助具を実現化することに成功したものであり、以下では、図面に示すこの発明を代表する実施例と共に、その構成を詳述することとする。                                              
【課題を解決するための手段】
【０００９】
（発明の構成）
図面に示すこの発明を代表する実施例からも明確に理解されるように、この発明の手提げ用補助具は、基本的に次のような構成から成り立っている。
即ち、掌巾と略同等かそれを僅かに超える程度の横巾寸法と、吊り下げ把持の対象となる物品の手提げ部分を抱持可能な程度の縦寸法とに設定され、掌装着時に手指の屈曲動作に追随彎曲し得る程度の柔軟性を有する肉厚シート製の手指緩衝体と、手首太さに適合させる調節機構付きで手首への装着を自在とするリストバンドとを有し、該リストバンドを支持部として直交状に組み合わせた所定長さの吊りベルト自由端に至る適所を、当該手指緩衝体の中央付近に適宜手段で一体化してそれらリストバンドに手指緩衝体を連繋させるようにする一方、当該吊りベルトは、その自由端側と基端部近傍とが適宜手段の嵌め外し構造によって連結し得るものとし、同吊りベルトもしくは手指緩衝体の、掌装着に際し手指の接合範囲となる適所に、１または複数の何れかの親指を除く指もしくは親指以外の全ての指を装着可能とする指装着環を設けてなるものとした構成を要旨とする手提げ用補助具である。
【００１０】
この基本的な構成の手提げ用補助具を、更に具体的なものとして示せば、掌巾と略同等かそれを僅かに超える程度の横巾寸法と、吊り下げ把持の対象となる物品の手提げ部分を抱持可能な程度の縦寸法とに設定され、掌装着時に手指の屈曲動作に追随彎曲し得る程度の柔軟性を有する肉厚シート製の手指緩衝体と、手首太さに適合させる調節機構付きで手首への装着を自在とするリストバンドとを有し、該リストバンドを支持部として直交状に組み合わせた所定長さの吊りベルト自由端に至る適所を、当該手指緩衝体の縦寸法方向基端側寄りとなる中央付近に開口したスリット孔から、同縦寸法方向先端側寄における中央付近に開口したスリット孔に掛けて挿着し、、同吊りベルト中途適所範囲が、手指緩衝体の持ち手用緩衝面とは反対側となる把持面側の略中央に縦断露出状となるよう一体化してそれらリストバンドに手指緩衝体を連繋させるようにする一方、当該吊りベルトは、その自由端側と基端部近傍とが適宜手段の嵌め外し構造によって連結し得るものとし、同吊りベルトの手指緩衝体の両スリット孔間から把持面側に露出された中途範囲であって、掌装着に際して手指の接合範囲となる適所に、１または複数の何れかの親指を除く指もしくは親指以外の全ての指を装着可能とする指装着環を装着してなる手提げ用補助具とすることができる。                                                                                                            
【発明の効果】
【００１１】
以上のとおりの構成からなるこの発明の手提げ用補助具によれば、外出するときに手指緩衝体を掌の上に対応させた状態に配置させ、手首付近に対応させたリストバンドを、その調節機構を適宜調節して仮留めするようにしてあって、当該手提げ用補助具を手首付近に装着したまま携行することができ、ポケットやハンドバック等への収納を不要とし、うっかり持参するのを忘れてしまったり、他のものと混り合って探し出すのに苦労したりといった弊害の一切を解消することができる上、リストバンドや手指緩衝体等を比較的軟質な素材からなるものとしてあって、携帯する際に周囲の人や物品等に接触したり、引っ掛けてしまって損傷を与えてしまうなどといった虞が全くなく、極めて安全で実用価値の高い補助具として使用することができ、重量の嵩む商品を運搬する際には、手指緩衝体から吊りベルトを介してリストバンドへと荷重が伝達され、従来品に比較して各部に渡って確実に荷重が分散されてしまうものとしたことから、買い物袋の手持ち部分に集中した過重であっても分散、緩和されて手指に食い込まず、手指の弱い婦女子であっても従前のような苦痛に苛まされてしまうことを確実に防止できるようになるという秀れた特徴が得られるものである。
【００１２】
そして、吊りベルトの自由端側と基端部付近とに嵌め外し構造をなす適宜手段を設けたものでは、特に握力が比較的弱い女性や子供、あるいは高齢者等にとって極めて好都合のものとなって、運搬中に買い物袋を落下させてしまうという失敗を未然に防ぐことができ、また、指装着環を設けるようにしたものでは、手指緩衝体とそれを装着、握持する手指との一体感を高めることができ、当該手指緩衝体を介して確実に買い物袋の手持ち部分を把持可能にするものとなって、思わぬズレ動きや滑りなどの発生によって把持状態を不安定にしてしまうといった現象を阻止できるようになる利点が得られる。
【００１３】
さらに、手指緩衝体の縦寸法方向の両端側となる中央付近に形成した一対のスリット孔に対して吊りベルトの中途部適所から自由端側に掛けて挿し通し、互いを一体化した構造とするようにしたものでは、手指緩衝体の中央付近を吊りベルトによって十分に補強することができる上、その結合や連繋構造が縫合、接着等を必要とせず、一対のスリット孔のみからなり、生産性と耐久強度とを高めることができるという効果が得られるものとなる上、手指の中指および／または薬指に装着可能な形状、寸法の指装着環を、一対のスリット孔間に挿通、配置された吊りベルト中途適所に装着するようにし、必要部品の小型化を図ることができるようにすると共に、それら同士の複雑な縫合や接着行程等を不要として生産性を大幅に改善することができるものになるという特徴を発揮することとなる。
【００１４】
さらにまた、手指緩衝体を、手指に馴染み易い概略円板状あるいは長円板状の皮革製のものとして高い耐久性と品質とを確保するようにすると共に、比較的硬質な表革面を掌に接する把持面側とし、比較的軟質な裏革面を持ち手用緩衝面側とするように夫々設定して、手指緩衝体厚み方向の掌に近い部分の強度を高めて手指の保護能力を強めると共に、同厚み方向の買い物袋持ち手部分を把持する箇所に近い部分ほど柔軟なものとして十分な保持摩擦力を発揮させ、樹脂製や紙製の擦れ接触や切断力に弱い買い物袋の持ち手部分を保護して運搬中の破断、落下等を防止できるようにし、より安全な運搬が保証されるようにするという効果が発揮されるものとなっている。
【００１５】
加えて、嵌め外し構造が、吊りベルト自由端側に掛着されたリング部と、同基端部付近に設けられたフック部とから形成されるようにしたものでは、買い物袋の手持ち部分を手指緩衝体で握持するよう保持した上、該リング部をフック部に係合させるという手段を採用してあることから、簡単、確実にその握持状態を維持できるようになり、手指による握力を殆ど加えずとも、重量物を収容した買い物袋を格段に軽快に運搬できるようになるという大きな特徴を得ることができ、その上、ロック・アンロック機構を組み込んだものでは、不用意な離脱を確実に防止して安全、確実に握持状態を保持できることとなり、しかもロックを解除して買い物袋を簡便に離脱させることも可能になることから、買い物袋に収納された重量物によってそれら嵌め外し構造の着脱操作を妨げてしまうような事態もなくし、その操作性を格段に高め得るという実用的な効果が発揮可能なものとなる。                            
【発明を実施するための最良の形態】
【００１６】
上記したとおりの構成からなるこの発明の実施に際し、その最良もしくは望ましい形態について説明を加えることにする。
手指緩衝体は、掌に沿って装着され、買い物袋の手提げ部分等を把持する際に手指と手提げ部分との間に介在し、把持する手指の限られた範囲に集中的に加わる荷重を適度に分散、緩衝可能とする機能を果たすものであり、掌や指の把持動作に追従して彎曲、変形自在な程度の柔軟性を有すると共に、人が一人で運搬可能な程度の重量を効果的に分散して集中的な荷重による苦痛を解消できる程度に十分な強度および厚み等を有するものとしなければならず、掌巾と略同等か僅かにそれを超える程度の巾寸法と、吊り下げ対象となる物品の手提げ部分を抱持可能とする程度の縦寸法とに設定されるようにしなければならず、例えば、概略円板状あるいは長円状に裁断された皮革製のものであって、表革面を把持面側となし、裏革面を持ち手用緩衝面側に規制して採用するように形成するのが望ましい。
【００１７】
スリット孔は、手指緩衝体の適所に対して吊りバンドの自由端側から中途適所に至る適宜範囲を挿し通し、手指緩衝体と吊りバンドとの一体化状態を維持、可能な程度の十分な強度を持って連繋可能とする機能を果たし、該手指緩衝体の縦寸法方向基端側寄りとなる中央付近と、同縦寸法方向先端側寄における中央付近との双方に、夫々横巾寸法方向に平行な姿勢で穿孔されたものとし、吊りベルトの巾および肉厚に応じて、できるだけ遊びの無い開口寸法とすべきであり、スリット状の外、円形、楕円形、三角形、四角形、それ以外の多角形、あるいは異形状の孔からなるものとすることも可能である。
【００１８】
リストバンドは、吊りベルトを十分な強度で利用者の手首や腕に装着可能とし、様々な太さ、細さの手首や腕回りに対応可能、もしくは例えば男性用、女性用、子供用等の特定の対象範囲に制限を加えた手首あるいは腕回りの寸法範囲において、個々人が最適と思われるバンド締め付け寸法に調節可能であって、しかも吊り下げ把持対象物品の荷重に十分に耐えて手首や腕への装着状態を維持可能とする機能を果たすものであり、手首や腕に集中的な荷重が加わらない程度の柔軟性を有し、十分な接触面積を確保できる帯状のものとすべきであり、腕時計用のベルトのように長さ調節機能付きの尾錠を有するものや、あるいは環状帯の適所あるいは全体にゴム製あるいはバネ製の伸縮機構を有して、手首や腕への着脱を可能とするもの等とするのが望ましい。
【００１９】
リストバンド調節機構は、リストバンドを手首や腕に装着した環状のものとしたときに、利用者個々人が所望の環状バンド内周寸法とするよう自在に調節可能なものとするという機能を果たし、より具体的には、後述の実施例のように、リストバンドの一端に尾錠を設け、同他端から一端側に向かう所定範囲に渡り、所定長さ寸法毎に尾錠を掛着可能な掛着用孔あるいは噛合可能な凹凸形状等を形成したものとすることができる外、リストバンド自体の全体もしくは環状中途箇所の一部にバネ材もしくはゴム材製の伸縮構造を設けるようにし、吊りバンドを介して加わる荷物荷重に耐える程度の形状維持機能を確保したものとすること等が可能である。
【００２０】
吊りベルトは、リストバンドと手指緩衝体との適所同士を、手首から掌あるいは腕適所から掌まで等の適度な距離を隔てて連繋状態を維持できるようにする機能を果たすものであり、手指緩衝体を介して入力される荷物荷重をリストバンドに伝達可能とする機能を備え、手指に加わる荷重を手首や腕に伝えて分散するようにしたものとすべきであり、荷物荷重に十分に耐える引っ張り強度と、手首や腕、掌や指等の屈曲動作に容易に追従可能な程度に柔軟性とを兼ね備えた素材から形成するのが望ましいものの、一部もしくは全体にゴム製あるいはバネ製の伸縮機能をもたせて手指緩衝体の荷重に応じて伸縮可能なものとすることも不可能ではなく、また、吊りベルトの自由端側と基端部近傍とに嵌め外し構造を設け、利用者の握力によらないでも手指緩衝体の荷物手提げ部分の抱持状態を維持可能で離脱自在としたものとすることができる。
【００２１】
嵌め外し構造は、利用者の握力によらずとも手指緩衝体における荷物手提げ部分の抱持状態を維持することを可能とし、しかも必要に応じてその抱持状態を自由に解除、可能とする機能を果たすものであって、一人の利用者が運搬可能な重量の荷重にも十分に耐えられる連結強度を有したものとしなければならず、より具体的には、後述の実施例のように、吊りベルトの自由端側に掛着されたリング部と、同吊りベルト基端部付近に設けられ該リング部に係合可能としたフック部とからなるものとすることが可能であり、またリング部とフック部の配置箇所を互いに逆転させたものとすることも可能であり、さらにリング部を複数のリング部品を組み合わせた鎖状に形成して、掛着長さを調節できるものとしたり、あるいはその嵌め外し可能となる箇所にロック・アンロック機構を有したバックルを設けたものとしたりすることができる。
【００２２】
指装着環は、手指緩衝体の把持面側に掌や手指を添えて携行、利用する際に、利用者の手指と手指緩衝体との一体感を高めて相互のズレ動きや滑りの発生を解消可能とする機能を果たすものであり、手指に装着、使用する際に不要な集中的接触が発生しない形状、寸法に設定され、比較的柔軟な素材製のものとすべきであり、手指緩衝体に沿わせた手指の略全体を装着できる袋状、紐環状、帯環状のもの等とすることが可能である外、特定の１本または複数本の指の全体もしくは一部を装着できる袋状、紐環状、帯環状に形成したものとすることも可能であり、例えば、装着対象となる手指の中の中指および／または薬指に装着可能な配置、形状、寸法に形成されたものとすることができる。
【００２３】
吊り下げ把持の対象物品は、一人で運搬可能な荷物であって適所に手提げ部分を形成したものであるということができ、より具体的には、重量の嵩む商品を入れたポリ袋や紙袋等の買い物袋などに代表されるものの、特定の物品に制限されている訳ではなく、例えば小包や引っ越し荷物のような梱包物品、あるいは物品その物に紐や帯等を巻き付け、手提げ部分となり得る箇所を形成したもの、もしくはその適所に、把手型の吊り手用部品を装着したもの等を含むものであるとすることができる。
以下では、図面に示すこの発明を代表する実施例と共に、その構造について詳述することとする。                                                                                            
【実施例】
【００２４】
図１の手提げ用補助具の斜視図、および図２の手提げ用補助具の使用状態の斜視図に図示される事例は、掌巾と略同等程度の横巾寸法と、吊り下げ把持の対象となる物品７の手提げ部分７１を抱持可能な程度の縦寸法とに設定され、掌への装着時に手指の屈曲動作に追随彎曲し得る程度の柔軟性を有する肉厚シート製の手指緩衝体２と、手首太さに適合させる調節機構３１付きで手首への装着を自在とするリストバンド３とを有し、該リストバンド３を支持部として直交状に組み合わせた所定長さの吊りベルト４における自由端４１に至る適所を、当該手指緩衝体２の縦寸法方向基端側寄りとなる中央付近に開口したスリット孔２１から、同縦寸法方向先端側寄における中央付近に開口したスリット孔２１に掛けて挿着し、同吊りベルト４中途適所範囲が、手指緩衝体２の持ち手用緩衝面２２とは反対側となる把持面２３側の略中央に縦断露出状となるよう一体化してそれらリストバンド３に手指緩衝体２を連繋させるようにする一方、当該吊りベルト４は、その自由端４１側と基端部４３近傍とが適宜手段の嵌め外し構造５によって連結し得るものとし、同吊りベルト４の手指緩衝体２の両スリット孔２１，２１間から把持面２３側に露出された中途範囲であって、掌装着に際して手指の接合範囲となる適所に、親指以外の１本の指を装着可能とする指装着環６を装着してなる、この発明の手提げ用補助具における代表的な一実施例を示すものである。
【００２５】
当該手提げ用補助具１は、巾約１５ｍｍ、長さ約３５０ｍｍ（尾錠取り付け後約３００ｍｍ）、厚み約３ｍｍの皮革製あるいは合成皮革製の帯体からなり、その一端側にバンド通し３３を有する尾錠３２を設け、他端先端側から長さ方向の所定範囲に渡る略中央に、同長さ方向に適宜間隔を隔てた複数の掛止孔３４，３４，……を厚み方向に穿孔し、夫々に縁金具を装着して補強してなる調節機構３１を有するリストバンド３の中途部に、巾約２４ｍｍ、長さ約２００ｍｍ（基端折り返し後約１５０ｍｍ）、厚さ約４ｍｍの皮革製あるいは合成皮革製の帯体からなり、基端側の約５０ｍｍの範囲をループ状に折り返し、その基端とそれに対応する基端寄り中途付近とを縫合、強固に一体化すると共に、該基端が縫合されたのとは反対側面となる基端側付近の帯面中途適所に、金属製フック部５４の基部が、同フック部５４の掛着用となる先端部を同帯体のループ状基端側に向けて強固に一体化されたものとしてなる吊りベルト４における、該基端部４３のループ部４４を装着したものとなっている。
【００２６】
吊りベルト４の自由端４１は、直径約９０ｍｍ、肉厚３ｍｍ前後の皮革製円板型であって、円板中心を通る直線（長手寸法方向）上の外周縁２箇所から中心に向けて約２０ｍｍとなる２箇所夫々に、同円板中心を通る直線に対して直交状となる巾約２７ｍｍのスリット孔２１，２１を肉厚方向に貫通させるよう形成した手指緩衝体２の、手持ち用緩衝面２２となる裏革面側の一方のスリット孔２１から挿入され、把持面２３となる表革面を通過させ、同把持面２３の他方のスリット孔２１に挿し通して再び手持ち用緩衝面２２側に露出させるようにして一体的に連繋させたものとしている。
【００２７】
このようにして吊りベルト４が手指緩衝体２に連繋させた状態にあって、その基端部４３付近に設けられたフック部５４は、該手指緩衝体２の手持ち用緩衝面２２側に配置されたものとし、さらに、該手指緩衝体２の２個のスリット孔２１，２１に挿し通され、縦方向先端側に露出状となった吊りベルト４の自由端４１には、その帯巾中央にリング装着孔４２が穿孔され、該リング装着孔４２に対し、フック部５４に掛着可能なリング部５１を連結したものとなっており、該リング部５１は、吊りベルト４の自由端４１リング装着孔４２に貫通装着された二重リング製の連結用リング５２と、同連結用リング５２に対して鎖状に繋がれた２（複数）個の二重リング製、係合位置調節用リング５３，５３とが連結され、前記フック部５４とリング部５１とによって嵌め外し構造５を形成するようにしたものとなっている。
【００２８】
また、手指緩衝体２のスリット孔２１，２１間に配置され、把持面２３側に露出状となった吊りベルト４の中途部分には、中指または薬指を装着するに好適な紐径３ｍｍ前後の皮革製（または合成皮革製）紐を、直径約４０ｍｍの環状に形成した指装着環６を装着したものとしている。
【００２９】
（実施例の作用）
以上のとおりの構成からなる実施例の手提げ用補助具１は、利用者の掌上に手指緩衝体２の把持面２３を沿わせ、指装着環６に中指か薬指を装着し、手首にリストバンド３を巻き付けて調節機構３１の尾錠３２にその先端側を挿し込み、掛止孔３４，３４，……の中の適所に係合させ、バンド通し３３に通して装着するようにし、ポケットやバック等に収納することなく簡便に携行することができ、買い物を終えていざ重い商品の入った買い物袋である吊り下げ把持の対象物品７の手提げ部分７１を把持する段には、図２中に示すように、手指緩衝体２諸共手提げ部分７１を抱持するように握持し、上向きに折曲された手指緩衝体２の先端側に露出する嵌め外し構造５のリング部５１の何れかの係合位置調節用リング５３を選択し、フック部５４に係合させて装着し、この状態で吊り上げて買い物袋７を持ち運ぶこととなる。
【００３０】
こうして重量の嵩む買い物袋７を吊り上げると、手指緩衝体２が、手提げ部分７１との接触部分に発生した集中的荷重を利用者の手指の広い範囲に渡って分散すると共に、荷重の一部（もしくは殆ど）が吊りベルト４を介してリストバンド３に伝達され、手首を含む広い範囲に適度な割合で分散されることとなり、また、買い物袋７の手提げ部分７１に接触する手指緩衝体２の持ち手用緩衝面２２を裏革面に設定してあって手提げ部分７１が不用意に滑り動いてしまうのを阻止し、さらに、指装着環６に中指もしくは薬指を装着し、利用者の掌と手指緩衝体２とのズレ動きを防止し得るものとし、重量の嵩む買い物袋７であっても吊り下げ姿勢を安定させることが可能となり、しかも嵌め外し構造５により、手指緩衝体２による手提げ部分７１の抱持状態を利用者の握力に頼らず維持することを可能にしている。
【００３１】
この嵌め外し構造５は、フック部５４に対するリング部５１の係脱操作が簡単な上、リング部５１を形成する連結用リング５２、およびそれに対して鎖状に連結された係合位置調節用リング５３，５３によって係合部分の長さを自在に調節することができるようにし、何れも二重リングからなるものとしてあるために必要に応じて着脱し、リング部５１の全長寸法自体を好みや利用状況に応じて簡単に調節することも可能になる。
【００３２】
（実施例の効果）
以上のような構成からなる実施例の手提げ用補助具１は、前記この発明の効果の項で記載の特徴に加え、図１および図２中に示したように、リストバンド３の調節機構３１として複数個の掛止孔３４，３４，……の何れか選択した１個の掛止孔３４に尾錠３２の棒状掛止部分を貫通状に挿し込み係合する構造としてあり、利用者個々人の手首回り寸法に最適な状態に調節することができると共に、その調節寸法を確りと維持し、買い物袋７等の重量物を吊り下げ、保持したときにも高い吊り下げ強度を確保することができるという効果がある。
【００３３】
また、手提げ用補助具１の吊りベルト４の基端側を、そのループ部４４にリストバンド３を挿し通し、該リストバンド３の中途適所に対して略直交状の姿勢、配置となるよう吊り下げ、連繋したものとした上、同吊りベルト４の先端側を、手指緩衝体２の縦方向（直径方向）の両端縁近傍となる中央付近に形成された一対のスリット孔２１，２１に通して一体的に連繋させたものにしてあるから、買い物袋７の手提げ部分７１を手指緩衝体２に抱持して持ち上げたときに、同手指緩衝体２に加わる荷重の一部が、吊りベルト４を介してリストバンド３に伝わり、手指に集中する荷重を手首に分散して利用者への負担を大幅軽減し、苦痛を解消して荷物運搬の負担を格段に軽減するという効果を発揮する。
【００３４】
さらに、同吊りベルト４自由端４１のリング装着孔４２に連結されたリング部５１と、同基端部４３付近に固定されたフック部５４とからなる嵌め外し構造５を設けてあって、従前までであれば手指の握力のみに頼らなければならなかった、買い物袋７の手提げ部分７１の把持力を当該嵌め外し構造５に担持させることが可能となって利用者への負担が一層軽減されるものとなり、リング部５１を互いに着脱可能な連結用リング５２と係合位置調節用リング５３，５３とから形成された鎖状のものとし、図示しない複数個の買い物袋７，７，……の手提げ部分７１，７１，……を束ねて持つ場合や、収容した商品の厚みが大きく、紙袋７の口が広がって一対の手提げ部分７１，７１の間隔が広がってしまったような場合等にも、柔軟にリング部５１の寸法を調節して嵌め外し構造５を利用できるようになるという利点が得られる。
【００３５】
また、手指緩衝体２の比較的柔らかな皮革繊維が露出している裏革面を利用した手持ち用緩衝面２２によって買い物袋７の手提げ部分７１を抱持するように形成してあり、両端に荷重による張力を受け、弓なり状に変形する手提げ部分７１に沿って、柔軟に変形して接触し、抱持範囲に渡る手提げ部分７１を均質且つ確りと保持することができ、同手指緩衝体２の比較的硬質で滑らかな表面の表革面を利用した把持面２３が掌および手指に接するようにしてあって、接触摩擦を軽減して手指緩衝体２の屈曲操作を円滑に行えるものにすると共に、適所に設けられた指装着環６に中指もしくは薬指を装着して掌や手指と手指緩衝体２との間のズレ動きを阻止するようにし、重量物である買い物袋７の手提げ部分７１を吊り上げたときに、手指緩衝体２が不用意に滑り動いて手指が直接手提げ部分７１に接触してしまうのを確実に防止できるようにするという効果が期待できる。
【００３６】
（結  び）
叙述の如く、この発明の手提げ用補助具は、その新規な構成によって所期の目的を遍く達成可能とするものであり、しかも比較的簡素な部品の組み合わせによって構成されており、組み立て製造も容易で、製造コストの削減によって比較的低廉にて市場提供することが可能である外、皮革素材の利用等により外観や質感の向上を図ることも可能であって、高齢者や富裕層等の品質にこだわる消費者にも受け入れられる付加価値の高い手提げ用補助具としての提供も可能である上、リストバンドを有して手首に装着したまま携行することができ、従前からの提案のあるこの種補助具では実現し得なかった取扱い性や安全性などの面を大幅に改善したものとなっていることから、まとめ買いの多い顧客や重量物運搬の際の手指に掛かる負担に耐え続けてきた消費者からは、その有効性によって大いに賞賛されると共に、顧客対策を最優先させる大手スーパーマーケットやホームセンター、デパート等からは、販売促進手段の一つとして認知される等、各方面から高く評価されて広範に利用、普及していくものになると予想される。                                                                    
【図面の簡単な説明】
【００３７】
図面は、この発明の手提げ用補助具の技術的思想を具現化した代表的な幾つかの実施例を示すものである。
【図１】手提げ用補助具を示す斜視図である。
【図２】装着利用中の手提げ補助具を示す斜視図である。
【符号の説明】
【００３８】
１      手提げ用補助具
２      手指緩衝体
２１    同  スリット孔
２２    同  手持ち用緩衝面
２３    同  把持面
３      リストバンド
３１    同  調節機構
３２    同  尾錠
３３    同  バンド通し
３４    同  掛止孔
４      吊りベルト
４１    同  自由端
４２    同  リング装着孔
４３    同  基端部
４４    同  ループ部
５      嵌め外し構造
５１    同  リング部
５２    同  連結用リング
５３    同  係合位置調節用リング
５４    同  フック部
６      指装着環
７      買い物袋（吊り下げ把持の対象物品）
７１    同  手提げ部分
【図１】
0004423248.tif 000002
【図２】
0004423248.tif 000003